【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
各々、圧縮機、加熱用凝縮器、膨張機構、採熱用蒸発器の順に冷媒を循環させる独立した２つの冷媒回路を併設し、
そのうちの第１冷媒回路において、第１膨張機構通過後の冷媒を蒸発させる蒸発器として大気から採熱する第１採熱用蒸発器を設け、
一方、第２冷媒回路において、第２膨張機構通過後の冷媒を蒸発させる蒸発器として、加熱対象熱媒を各々の前記加熱用凝縮器に通流させる前に予冷する予冷用蒸発器を設けた超臨界型ヒートポンプ装置であって、
前記ヒートポンプ装置へ導入路から供給される熱媒を最初に第２冷媒回路の前記予冷用蒸発器に導入して予冷し、
この予冷した熱媒を、前記第１冷媒回路の第１加熱用凝縮器と、前記第２冷媒回路の第２加熱用凝縮器とに並列に通流させる並列通流状態と、前記第１加熱用凝縮器、前記第２加熱用凝縮器の順に直列に通流させる直列通流状態とのいずれかの回路構成とすると共に、
前記導入路の途中箇所と、前記第１加熱用凝縮器および前記第２加熱用凝縮器の下流側とを短絡して、熱媒の一部を前記予冷用蒸発器・前記第１加熱用凝縮器・前記第２加熱用凝縮器に対し迂回させるバイパス路を設け、
前記予冷用蒸発器・前記第１加熱用凝縮器・前記第２加熱用凝縮器を通過させる熱媒と前記バイパス路を通過させる熱媒との流量比を連続的又は段階的に調整する調整弁手段を設けた超臨界型ヒートポンプ装置。
【請求項２】
各々、圧縮機、加熱用凝縮器、膨張機構、採熱用蒸発器の順に冷媒を循環させる独立した２つの冷媒回路を併設し、
そのうちの第１冷媒回路において、第１膨張機構通過後の冷媒を蒸発させる蒸発器として大気から採熱する第１採熱用蒸発器を設け、
一方、第２冷媒回路において、第２膨張機構通過後の冷媒を蒸発させる蒸発器として、加熱対象熱媒を各々の前記加熱用凝縮器に通流させる前に予冷する予冷用蒸発器を設けた超臨界型ヒートポンプ装置であって、
前記ヒートポンプ装置へ導入路から供給される熱媒を最初に第２冷媒回路の前記予冷用蒸発器に導入して予冷し、
この予冷した熱媒を、前記第１冷媒回路の第１加熱用凝縮器と前記第２冷媒回路の第２加熱用凝縮器とに対し並列に通流させる「並列通流状態」と、第１加熱用凝縮器と前記第２加熱用凝縮器とに対しその順に直列に通流させる「直列通流状態」との切り換えを行う切り換え機構を備え、
前記湯水導入路の途中箇所と、前記第１加熱用凝縮器および前記第２加熱用凝縮器の下流側とを短絡して、熱媒の一部を前記予冷用蒸発器・前記第１加熱用凝縮器・前記第２加熱用凝縮器に対し迂回させるバイパス路を設けるとともに、
前記予冷用蒸発器・前記第１加熱用凝縮器・前記第２加熱用凝縮器を通過させる熱媒と前記バイパス路を通過させる熱媒との流量比を連続的又は段階的に調整する調整弁手段を設けた超臨界型ヒートポンプ装置。
【手続補正２】
【補正対象書類名】明細書
【補正対象項目名】全文
【補正方法】変更
【補正の内容】
【発明の詳細な説明】
【発明の名称】超臨界型ヒートポンプ装置
【技術分野】
【０００１】
本発明は超臨界型ヒートポンプ装置に関し、詳しくは、冷媒を超臨界圧力まで圧縮する圧縮機と凝縮器と膨張機構と蒸発器とにわたって、その順に冷媒を循環させる冷媒回路を備えた超臨界型ヒートポンプ装置に関する。
【背景技術】
【０００２】
従来、超臨界型ヒートポンプ装置において、加熱対象熱媒を加熱用の凝縮器に対し迂回させるバイパス路を設けるとともに、加熱対象熱媒を加熱用凝縮器に通過させるか、あるいはバイパス路に通過させるかを切り換える三方弁を設けたものがある（特許文献１参照）。
【０００３】
【特許文献１】特開２００４−３６０９６９号
【発明の開示】
【発明が解決しようとする課題】
【０００４】
しかし、上記従来装置は、加熱対象熱媒の全流量を加熱用凝縮器に通過させるかバイパス路に通過させるかの２者択一的な切り換えのみを三方弁により行うようにしたものであり、これに代表されるように、従来の超臨界型ヒートポンプ装置において、熱媒を凝縮器に対して迂回させるバイパス路を設けて、凝縮器に通過させる熱媒とバイパス路に通過させる熱媒との流量比を調整するようにしたものは全く見られず、換言すれば、その流量比が冷媒回路運転の成績係数に及ぼす影響について何ら考慮されていなかった。
【０００５】
そしてまた、蒸発器について見ても、従来の超臨界型ヒートポンプ装置において、熱媒を蒸発器に対し迂回させるバイパス路を設けて、蒸発器に通過させる熱媒とバイパス路に通過させる熱媒との流量比を調整するようにしたものは全く見られず、その流量比が冷媒回路運転の成績係数に及ぼす影響について何ら考慮されていなかった。
【０００６】
この実情に対し、本発明の主たる課題は、超臨界型ヒートポンプ装置特有の冷媒回路特性に着目した合理的な改良により、良好かつ安定的な運転を保ちながら冷媒回路運転の成績係数を向上させる点にある。
【０００７】
なお、超臨界型ヒートポンプ装置では、冷媒回路を循環する過程での冷媒の相変化が明確に認められない場合があるが、ここでは、通常のヒートポンプ装置と同等、冷媒回路において冷媒を放熱させる部分を凝縮器と称し、冷媒を吸熱（採熱）させる部分を蒸発器と称し、また、それに準じて便宜上、凝縮器における冷媒の温度変化や圧力変化などの状態変化を凝縮と称し、蒸発器における冷媒の温度変化や圧力変化などの状態変化を蒸発と称する場合がある。
【課題を解決するための手段】
【０００８】
〔１〕本発明の第１特徴構成は、各々、圧縮機、加熱用凝縮器、膨張機構、採熱用蒸発器の順に冷媒を循環させる独立した２つの冷媒回路を併設し、
そのうちの第１冷媒回路において、第１膨張機構通過後の冷媒を蒸発させる蒸発器として大気から採熱する第１採熱用蒸発器を設け、
一方、第２冷媒回路において、第２膨張機構通過後の冷媒を蒸発させる蒸発器として、加熱対象熱媒を各々の前記加熱用凝縮器に通流させる前に予冷する予冷用蒸発器を設けた超臨界型ヒートポンプ装置であって、
前記ヒートポンプ装置へ導入路から供給される熱媒を最初に第２冷媒回路の前記予冷用蒸発器に導入して予冷し、
この予冷した熱媒を、前記第１冷媒回路の第１加熱用凝縮器と、前記第２冷媒回路の第２加熱用凝縮器とに並列に通流させる並列通流状態と、前記第１加熱用凝縮器、前記第２加熱用凝縮器の順に直列に通流させる直列通流状態とのいずれかの回路構成とすると共に、
前記導入路の途中箇所と、前記第１加熱用凝縮器および前記第２加熱用凝縮器の下流側とを短絡して、熱媒の一部を前記予冷用蒸発器・前記第１加熱用凝縮器・前記第２加熱用凝縮器に対し迂回させるバイパス路を設け、
前記予冷用蒸発器・前記第１加熱用凝縮器・前記第２加熱用凝縮器を通過させる熱媒と前記バイパス路を通過させる熱媒との流量比を連続的又は段階的に調整する調整弁手段を設けた点にある。
【０００９】
つまり、超臨界型ヒートポンプ装置では、それに特有の冷媒回路特性として、凝縮器における熱媒の入出口温度差が変化すると、それに伴い凝縮器における冷媒の入出口温度差及び入出口比エンタルピ差も変化し、これにより、凝縮器における冷媒の入出口比エンタルピ差と圧縮機における冷媒の入出口比エンタルピ差との比率（略言すれば、ヒートポンプ装置の入出力比率）が変化して、冷媒回路運転の成績係数が変化する傾向が見られる。
【００１０】
この冷媒回路特性に対し、上記第１特徴構成によれば、凝縮器に対する送給熱媒のうちバイパス路を通過させた熱媒と凝縮器に通過させた熱媒（即ち、凝縮器で加熱された熱媒）とを合流させることで、装置全体としては、熱媒の全流量を凝縮器に通過させた場合と同等の熱量を熱媒の全流量に対して付与するようにしながらも、熱媒の全流量を凝縮器に通過させるのに比べ、バイパス路側の熱媒流量分（即ち、凝縮器側の熱媒流量減少分）だけ凝縮器における熱媒の入出口温度差をより大きくすることができて、それに伴い、凝縮器における冷媒の入出口温度差及び入出口比エンタルピ差（即ち、モリエル線図上における冷凍サイクルの上辺長）を増大させることができ、これにより、冷媒回路運転の成績係数を向上させることができる。
また、蒸発器に対する送給熱媒のうちバイパス路を通過させた熱媒と蒸発器に通過させた熱媒（即ち、蒸発器で冷却された熱媒）とを合流させることで、装置全体としては、熱媒の全流量を蒸発器に通過させた場合と同等の熱量を熱媒の全流量から奪取するようにしながらも、熱媒の全流量を蒸発器に通過させるのに比べ、バイパス路側の熱媒流量分（即ち、蒸発器側の熱媒流量減少分）だけ蒸発器における熱媒の温度をより大きく低下させることができて、それに伴い、蒸発器における冷媒の入出口温度差及び入出口比エンタルピ差（即ち、モリエル線図上における冷凍サイクルの下辺長）を増大させることができ、これにより、冷媒回路運転の成績係数を向上させることができる。
【００１１】
そして、バイパス路に通過させる熱媒と凝縮器に通過させる熱媒との流量比を連続的又は段階的に調整する調整弁手段を設けることで、その調整弁手段による連続的又は段階的な流量比調整により、冷媒回路の良好かつ安定的な運転状態を運転条件に応じて確保するようにしながら、上記の如く凝縮器側の熱媒流量減少分だけ凝縮器における熱媒の入出口温度差をより大きくして、その分、冷媒回路運転の成績係数を向上させることができる。
また、バイパス路に通過させる熱媒と蒸発器に通過させる熱媒との流量比を連続的又は段階的に調整する調整弁手段を設けることで、その調整弁手段による連続的又は段階的な流量比調整により、冷媒回路の良好かつ安定的な運転状態を運転条件に応じて確保するようにしながら、上記の如く蒸発器側の熱媒流量減少分だけ蒸発器における熱媒の温度をより大きく低下させることができて、その分、冷媒回路運転の成績係数を向上させることができる。
【００１２】
なお、第１特徴構成の実施においては、例えば、凝縮器における熱媒あるいは冷媒の出口温度や入出口温度差などを検出して、その検出値に基づき調整弁手段による流量比調整を自動的に行うようにするのが望ましいが、場合によっては、調整弁手段による流量比調整を人為操作により初期設定的に行うものにしてもよい。
第１冷媒回路及び第２冷媒回路の各々の凝縮器に通流させる熱媒を並列通流状態に設定した場合には、加熱対象熱媒を加熱用の第１及び第２凝縮器での加熱に先立ち第２冷媒回路における予冷用の第２蒸発器により予冷する。よって、その予冷による熱媒温度降下分だけ加熱用の第１及び第２凝縮器における加熱対象熱媒の入出口温度差（入口温度と加熱後の前記所要温度との温度差）を大きくすることができる。それに伴い、加熱用の第１及び第２凝縮器における冷媒の入出口温度差及び入出口比エンタルピ差（モリエル線図上における冷凍サイクルの上辺長）の合計が増大する。これにより、装置全体の冷媒回路運転の成績係数を向上させることができる。
また、例えば、熱媒としての新鮮水を沸き上げる場合に、その沸き上げ能力を上げる為に、第２冷媒回路において予冷用蒸発器への冷媒の通流を断った状態で、予冷用蒸発器と並列に設けた採熱用の第２蒸発器に冷媒を通流させる。その採熱用の第２蒸発器を第１冷媒回路の第１採熱用蒸発器とともに大気に対して採熱機能させる採熱選択状態にする。併せて、冷却を伴わずに予冷用蒸発器を通過させた熱媒を加熱用の第１及び第２凝縮器に対し並列に通過させて加熱する並列通流状態にする。これにより、予冷用蒸発器で予冷を行う場合に比べ実質の加熱負荷を低減させて成績係数をさらに高いものにすることができる。
一方、第１冷媒回路及び第２冷媒回路の各々の加熱用凝縮器に通流させる熱媒を直列通流状態に設定した場合には、加熱対象熱媒の加熱昇温幅を第１加熱用凝縮器と第２加熱用凝縮器とに振り分けて、上記並列通流状態に比べて第１冷媒回路及び第２冷媒回路の圧縮機の各仕事量を減少させる。すなわち各々の圧縮機における冷媒の入出口温度差及び入出口比エンタルピ差が減じられることとなる。これにより、第１冷媒回路及び第２冷媒回路の各々において、加熱用凝縮器における冷媒の入出口比エンタルピ差と圧縮機における冷媒の入出口比エンタルピ差との比率（略言すれば、ヒートポンプ装置の入出力比率）が増大する。その結果、第１冷媒回路及び第２冷媒回路の運転成績係数を向上させ、ヒートポンプ装置全体としての成績係数を向上させることができる。
また、第２加熱用凝縮器で加熱対象熱媒を高温（例えば６０〜８０℃）に加熱するにしても、予冷用蒸発器により加熱対象の熱媒（例えば５０〜７０℃）を予冷することで、予冷用蒸発器での冷媒温度を高くして、予冷用蒸発器での冷媒温度と第２加熱用凝縮器での冷媒温度との温度差が小さくなるようにする。このことからも、第２冷媒回路の圧縮機における冷媒の入出口比エンタルピ差に対する予冷用蒸発器、及び、第２加熱用凝縮器における冷媒の入出口比エンタルピ差の比率を高めて、第２冷媒回路の運転成績係数を向上させ、そのことで本ヒートポンプ装置の装置全体としての成績係数を更に向上させるようにしてある。
【００１３】
〔２〕本発明の第２特徴構成は、各々、圧縮機、加熱用凝縮器、膨張機構、採熱用蒸発器の順に冷媒を循環させる独立した２つの冷媒回路を併設し、
そのうちの第１冷媒回路において、第１膨張機構通過後の冷媒を蒸発させる蒸発器として大気から採熱する第１採熱用蒸発器を設け、
一方、第２冷媒回路において、第２膨張機構通過後の冷媒を蒸発させる蒸発器として、加熱対象熱媒を各々の前記加熱用凝縮器に通流させる前に予冷する予冷用蒸発器を設けた超臨界型ヒートポンプ装置であって、
前記ヒートポンプ装置へ導入路から供給される熱媒を最初に第２冷媒回路の前記予冷用蒸発器に導入して予冷し、
この予冷した熱媒を、前記第１冷媒回路の第１加熱用凝縮器と前記第２冷媒回路の第２加熱用凝縮器とに対し並列に通流させる「並列通流状態」と、第１加熱用凝縮器と前記第２加熱用凝縮器とに対しその順に直列に通流させる「直列通流状態」との切り換えを行う切り換え機構を備え、
前記湯水導入路の途中箇所と、前記第１加熱用凝縮器および前記第２加熱用凝縮器の下流側とを短絡して、熱媒の一部を前記予冷用蒸発器・前記第１加熱用凝縮器・前記第２加熱用凝縮器に対し迂回させるバイパス路を設けるとともに、
前記予冷用蒸発器・前記第１加熱用凝縮器・前記第２加熱用凝縮器を通過させる熱媒と前記バイパス路を通過させる熱媒との流量比を連続的又は段階的に調整する調整弁手段を設けた点にある。
【００１４】
第２特徴構成の装置では、第１特徴構成の装置に比べて、第１冷媒回路および第２冷媒回路を「並列通流状態」と「直列通流状態」とに切り換える機構を備えた点に特徴を有する。本構成であれば、上記〔００１２〕段落で記載したごとく、加熱処理する熱媒の温度等に応じて装置全体としての成績係数を確実に向上させることができる。
【００１５】
【００１６】
【００１７】
尚、ヒートポンプ装置では、例えば圧縮機油と冷媒との相溶を防止するなど、安定的な冷媒回路運転のために蒸発器における冷媒の温度・圧力及び過熱度を圧縮機制御や膨張機構制御などにより所定値以下に維持することが要求される場合があるが、一般のヒートポンプ装置に比べ超臨界型ヒートポンプ装置は冷凍サイクルが不安定であるため、超臨界型ヒートポンプ装置では一般のヒートポンプ装置に比べ蒸発器における冷媒の温度・圧力及び過熱度を所定値以下に安定的に維持することが難しい問題もある。
【００１８】
これに対し、例えば、蒸発器とバイパス路とへの熱媒分流により蒸発器における冷媒の温度・圧力（蒸発器における平均の冷媒温度・冷媒圧力）を低下側に移行させることで、圧縮機制御や膨張機構制御などにより蒸発器における冷媒の温度・圧力及び過熱度を所定値以下に維持することを従前に比べ容易にし得る利点もある。
【００１９】
なお、例えば、蒸発器における熱媒あるいは冷媒の出口温度や入出口温度差などを検出して、その検出値に基づき調整弁手段による流量比調整を自動的に行うようにするのが望ましいが、場合によっては、調整弁手段による流量比調整を人為操作により初期設定的に行うものにしてもよい。
【００２０】
【００２１】
【００２２】
加熱用の第１及び第２凝縮器による加熱で加熱対象熱媒を所要温度まで昇温させることにおいて、それら加熱用の第１及び第２凝縮器における加熱対象熱媒の入口温度が高温で、その入口温度と加熱後の上記所要温度との温度差（即ち、入出口温度差）が小さいと、超臨界型ヒートポンプ装置では前述の如く、加熱用の第１及び第２凝縮器における冷媒の入出口温度差及び入出口比エンタルピ差も小さくなって冷媒回路運転の成績係数が低くなる。
【００２３】
これに対し、加熱用の第１及び第２凝縮器を通過させて加熱する加熱対象熱媒が高温であっても、その高温の加熱対象熱媒を加熱用の第１及び第２凝縮器での加熱に先立ち第２冷媒回路における予冷用の第２蒸発器により予冷するから、その予冷による熱媒温度降下分だけ加熱用の第１及び第２凝縮器における加熱対象熱媒の入出口温度差（入口温度と加熱後の前記所要温度との温度差）を大きくすることができる。それに伴い、加熱用の第１及び第２凝縮器における冷媒の入出口温度差及び入出口比エンタルピ差（モリエル線図上における冷凍サイクルの上辺長）を増大させることができ、これにより、冷媒回路運転の成績係数を向上させることができる。
【００２４】
また、予冷用第２蒸発器での予冷において加熱対象熱媒から奪った熱量は、第２冷媒回路における加熱用第２凝縮器での加熱対象熱媒の加熱に有効利用する形態（即ち、加熱対象熱媒に還元する形態）となるから、予冷において加熱対象熱媒から奪った熱量を外部に廃棄するのに比べ熱ロスも抑止でき、この点においても省エネルギー面で有利になる。
【００２５】
さらに、第１冷媒回路については、大気（例えば０℃）を採熱源とする採熱用第１蒸発器での冷媒蒸発温度が低くて、その採熱用第１蒸発器での冷媒温度と加熱対象熱媒を高温（例えば８０℃）に加熱する加熱用第１凝縮器での冷媒温度との温度差（即ち、第１冷媒回路における冷媒の最高低温度差）が大きいことが第１冷媒回路運転の成績係数向上を制限する他の要因として未だ残るが、第２冷媒回路については、高温（例えば６０℃）の加熱対象熱媒を予冷対象とする予冷用第２蒸発器での冷媒温度が比較的高くなるため、加熱用第２凝縮器で加熱対象熱媒を高温に加熱するにしても、予冷用第２蒸発器での冷媒温度と加熱用第２凝縮器での冷媒温度との温度差（第２冷媒回路における冷媒の最高低温度差）を小さくすることができ、このことからも、第２圧縮機における冷媒の入出口比エンタルピ差に対する予冷用第２蒸発器及び加熱用第２凝縮器における入出口比エンタルピ差（モリエル線図上における冷凍サイクルの上下辺長）の比率を高めることができて、第２冷媒回路運転の成績係数を向上させることができ、そのことで装置全体としての成績係数を更に向上させることができる。
【００２６】
そして、これらのことで冷媒回路運転の成績係数を向上させる得ることに加え、予冷用の第２蒸発器を前記熱媒迂回対象の蒸発器として、その予冷用の第２蒸発器に対し前記バイパス路及び前記調整弁手段を設けることにより、前述の如く、第１および第２特徴構成による超臨界型ヒートポンプ装置の成績係数を一層大きく効果的に向上させることができる。
【００２７】
【００２８】
【００２９】
【発明を実施するための最良の形態】
【００３０】
図１は超臨界型ヒートポンプ装置を熱源機とする温水設備を示し、１はＣＯ2冷媒の超
臨界型ヒートポンプ装置、２Ａ〜２Ｃは貯湯タンク、３は床暖房パネルやファンコイルユニットなどの温水循環式の暖房装置、４は中継熱交換器、５は温水循環式の融雪装置、６は浴槽（又は温水プール）、７は給湯栓である。
【００３１】
熱源機としてのヒートポンプ装置１は、湯水入口１ａから流入する加熱対象熱媒としての戻り湯水Ｗを加熱して、その加熱後の高温湯水Ｗを湯水出口１ｂから送出する湯水加熱機として機能するものであり、これを用いた本例の温水設備では、ヒートポンプ装置１の湯水出口１ｂから送出される高温湯水Ｗの通流状態を上流側及び下流側の２つの三方弁Ｖａ，Ｖｂによる流路の切り換えにより次の「タンク側通流状態」と「短絡側通流状態」とに択一的に切り換えるようにしてある。
【００３２】
すなわち、タンク側通流状態では、図中一点鎖線の矢印で示す如く、湯水出口１ｂから送出される高温湯水Ｗを上流側往路８−上流側三方弁Ｖａ−貯湯タンク２Ａ〜２Ｃを直列に介装した貯湯タンク用分岐路９−下流側三方弁Ｖｂ−下流側往路１０の順に通過させ、また、短絡側通流状態では、図中実線の矢印で示す如く、湯水出口１ｂから送出される高温湯水Ｗを上流側往路８−上流側三方弁Ｖａ−短絡循環用分岐路１１−下流側三方弁Ｖｂ−下流側往路１０の順に通過させる。
【００３３】
貯湯タンク用分岐路９には、上記のタンク側通流状態において上流側往路８及び上流側三方弁Ｖａを通じて送給されるヒートポンプ装置１からの高温湯水Ｗを第１貯湯タンク２Ａの上部に供給し、その第１貯湯タンク２Ａへの高温湯水Ｗの供給に伴い第１貯湯タンク２Ａの底部から送出される湯水Ｗを第２貯湯タンク２Ｂの上部に供給し、同様に、その第２貯湯タンク２Ｂへの湯水Ｗの供給に伴い第２貯湯タンク２Ｂの底部から送出される湯水Ｗを第３貯湯タンク２Ｃの上部に供給し、そして、その第３貯湯タンク２Ｃへの湯水Ｗの供給に伴い第３貯湯タンク２Ｃの底部から送出される湯水Ｗを下流側三方弁Ｖｂを通じて下流側往路１０へ送出する直列接続形態で、３つの貯湯タンク２Ａ〜２Ｃを介装してある。
【００３４】
すなわち、タンク側通流状態においてヒートポンプ装置１から高温湯水Ｗを送給することで、その高温湯水Ｗにより貯湯タンク２Ａ〜２Ｃ内の残留低温湯水Ｗを下流側三方弁Ｖｂを通じ下流側往路１０へ押し出す形態で、高温湯水Ｗを第１貯湯タンク２Ａの側から順次に、かつ、各貯湯タンク２Ａ〜２Ｃにおいて上部側から貯めていき、その高温湯水Ｗを各貯湯タンク２Ａ〜２Ｃにおいて温度成層状態で貯留するようにしてある。
【００３５】
そして、貯湯タンク用分岐路９においては、上流側三方弁Ｖａと第１貯湯タンク２Ａとの間の箇所から給湯路１２を分岐して、この給湯路１２を給湯栓７に接続してあり、また、第３貯湯タンク２Ｃと下流側三方弁Ｖｂとの間の箇所には、給水弁１３を介装した給水路１４を接続してあり、これにより、給湯栓７が開栓されたときには、それに連動する給水弁１３の開弁により給水路１４から第３貯湯タンク２Ｃの底部に新鮮水Ｗｃを送給することで、図中破線の矢印で示す如く、その供給新鮮水Ｗｃをもって押し出す形態で貯湯タンク２Ａ〜２Ｃにおける貯留高温湯水Ｗを第１貯湯タンク２Ａの上部側（すなわち、前記した温度成層における高温端側）から給湯路１２を通じて給湯栓７から出湯させるようにしてある。
なお、この給湯状態においては上流側及び下流側の三方弁Ｖａ，Ｖｂは短絡側通流状態にある。
【００３６】
下流側往路１０からは温水循環式の暖房装置３と中継熱交換器４との夫々に対する温水供給路１５ａ，１６ａを並列的に分岐してあり、これら温水供給路１５ａ，１６ａを通じて下流側往路１０から暖房装置３及び中継熱交換器４に湯水Ｗ（温水）を供給するのに伴い、それら暖房装置３及び中継熱交換器４から温水戻り路１５ｂ，１６ｂを通じて戻る湯水Ｗ（すなわち、暖房や熱交換で熱消費されて降温した湯水）を、共通返路１７を通じてヒートポンプ装置１の湯水入口１ａに戻すようにしてある。
【００３７】
つまり、貯湯タンク２Ａ〜２Ｃに高温湯水Ｗを貯め込む際（一般に夜間電力時間帯）に使用するタンク側通流状態（一点鎖線の矢印）では、貯湯タンク２Ａ〜２Ｃを介して暖房装置３及び中継熱交換器４とヒートポンプ装置１との間で加熱対象熱媒としての湯水Ｗを循環させ、一方、貯湯タンク２Ａ〜２Ｃへの高温湯水Ｗの供給を停止する短絡側通流状態（実線の矢印）では、貯湯タンク２Ａ〜２Ｃに対し迂回させる状態で短絡循環用分岐路１１を通じて暖房装置３及び中継熱交換器４とヒートポンプ装置１との間で加熱対象熱媒としての湯水Ｗを循環させる。
【００３８】
中継熱交換器４では、下流側往路１０から供給される高温湯水Ｗとの熱交換により２次側熱媒としての水Ｗ′（すなわち、ヒートポンプ装置１に循環させる湯水Ｗとは混合させない水）を加熱し、この加熱で生成した温水Ｗ′を循環路１８ａ，１８ｂを通じて融雪装置５に循環させるとともに、循環路１９ａ，１９ｂを通じて浴槽６（又は温水プール）に循環させる。すなわち、融雪装置５では中継熱交換器４から供給される温水Ｗ′の保有熱をもって積雪を防止し、また、浴槽６（又は温水プール）では中継熱交換器４から供給される温水Ｗ′をもって貯留温水Ｗ′を適温に維持する。なお、図中Ｐはポンプである。
【００３９】
一方、熱源機であるヒートポンプ装置１には、第１冷媒Ｒ（ＣＯ2）を超臨界圧力まで圧縮する第１圧縮機２０と、湯水入口１ａから流入する戻り湯水Ｗを加熱する加熱用の第１凝縮器２１と、第１膨張機構としての第１膨張弁２２と、大気Ａ（一般に外気）から採熱（吸熱）する採熱用の第１蒸発器２３とを主要構成装置として、それら第１圧縮機２０−加熱用の第１凝縮器２１−第１膨張弁２２−採熱用の第１蒸発器２３の順に第１冷媒Ｒを循環させる第１冷媒回路２４を装備してある。
【００４０】
また、第２冷媒Ｒ′（ＣＯ2）を超臨界圧力まで圧縮する第２圧縮機２５と、湯水入口１ａから流入する戻り湯水Ｗを第１冷媒回路２４の加熱用第１凝縮器２１とともに加熱する加熱用の第２凝縮器２６と、第２膨張機構としての第２膨張弁２７と、予冷用の第２蒸発器２８とを主要構成装置として、第１冷媒回路２４とは独立に、それら第２圧縮機２５−加熱用の第２凝縮器２６−第２膨張弁２７−予冷用の第２蒸発器２８の順に第２冷媒Ｒ′を循環させる第２冷媒回路２９を装備してある。
【００４１】
そして、湯水入口１ａからヒートポンプ装置１に流入する戻り湯水Ｗは、導入路３０を通じて第１冷媒回路２４の加熱用第１凝縮器２１と第２冷媒回路２９の加熱用第２凝縮器２６とに導き、これら加熱用の第１及び第２凝縮器２１，２６で加熱した高温湯水Ｗを導出路３１を通じて湯水出口１ｂから送出するようにしてあり、湯水入口１ａからの導入路３０には第２冷媒回路２９の予冷用第２蒸発器２８を介装してある。
【００４２】
すなわち、導入路３０を通じて第１冷媒回路２４の加熱用第１凝縮器２１と第２冷媒回路２９の加熱用第２凝縮器２６とに導く加熱対象の湯水Ｗを、それら加熱用の第１及び第２凝縮器２１，２６での加熱に先立ち、第２冷媒回路２９における予冷用第２蒸発器２８で予冷するようにしてある。
【００４３】
また本実施形態では、第２冷媒回路２９には付加装備として、大気Ａ（一般に外気）から採熱する採熱用の第２蒸発器３２を予冷用第２蒸発器２８と並列に装備するとともに、第２膨張弁２７を通過した第２冷媒Ｒ′を予冷用第２蒸発器２８に通流させて予冷用第２蒸発器２８の吸熱作用により加熱対象の湯水Ｗを冷却する「予冷選択状態」と、第２膨張弁２７を通過した第２冷媒Ｒ′を採熱用第２蒸発器３２に通流させて採熱用第２蒸発器３２の吸熱作用により大気Ａから採熱する「採熱選択状態」との択一的な切り換えを行う２つの冷媒三方弁Ｖｘ，Ｖｙを設けてある。
【００４４】
そしてまた本実施形態では、加熱用の第１及び第２凝縮器２１，２６に対する導入路３０及び導出路３１の接続部においては、湯水入口１ａから導入路３０を通じて導く加熱対象の湯水Ｗを渡り路３３の閉路により加熱用第１凝縮器２１と加熱用第２凝縮器２６とに対し並列に通流させる「並列通流状態」と、湯水入口１ａから導入路３０を通じて導く加熱対象の湯水Ｗを渡り路３３の開路により加熱用第１凝縮器２１と加熱用第２凝縮器２６とに対しその順に直列に通流させる「直列通流状態」との切り換えを行う２つの熱媒三方弁Ｖｃ，Ｖｄを設けてある。
【００４５】
つまり、この温水設備では、高温湯水Ｗが貯め込まれた貯湯タンク２Ａ〜２Ｃに対し迂回させる状態で短絡循環用分岐路１１を通じて暖房装置３及び中継熱交換器４とヒートポンプ装置１との間で湯水Ｗを循環させる前記の短絡側通流状態で装置を運転する際には、暖房装置３や中継熱交換器４から共通返路１７を通じてヒートポンプ装置１に戻る湯水Ｗが高温になる（すなわち、超臨界型のヒートポンプ装置１から送給する湯水Ｗが高温（例えば６０〜８０℃）であることにより、暖房装置３や中継熱交換器４での熱消費による降温があるとしても戻り湯水Ｗは比較的高温（例えば５０〜７０℃）になる）ことから、図中実線の矢印で示す如く、その戻り湯水Ｗを加熱用の第１及び第２凝縮器２１，２６での加熱に先立ち第２冷媒回路２９の予冷用第２蒸発器２８により予冷する前記の予冷選択状態にするとともに、予冷用第２蒸発器２８で予冷した戻り湯水Ｗを加熱用の第１及び第２凝縮器２１，２６に対しその順に直列に通流させて加熱する直列通流状態にし、加熱対象熱媒の加熱昇温幅を第１加熱用凝縮器２１と第２加熱用凝縮器２６とに振り分けて、第１冷媒回路２４及び第２冷媒回路２９の圧縮機２０、２５の各仕事量を減少させる。すなわち各々の圧縮機２０及び２５における冷媒の入出口温度差及び入出口比エンタルピ差が減じられることとなる。これにより、第１冷媒回路２４及び第２冷媒回路２９の各々において、各加熱用凝縮器２１，２６における冷媒の入出口比エンタルピ差と圧縮機における冷媒の入出口比エンタルピ差との比率（略言すれば、ヒートポンプ装置の入出力比率）が増大する。その結果、第１冷媒回路２４及び第２冷媒回路２９の運転成績係数を向上させ、ヒートポンプ装置全体としての成績係数を向上させることができる。
【００４６】
そしてまた、加熱用第２凝縮器２６で加熱対象湯水Ｗを高温（例えば６０〜８０℃）に加熱するにしても、第２冷媒回路２９の予冷用第２蒸発器２８により加熱対象の戻り湯水Ｗ（例えば５０〜７０℃）を予冷することで、予冷用第２蒸発器２８での冷媒温度を高くして、予冷用第２蒸発器２８での冷媒温度と加熱用第２凝縮器２６での冷媒温度との温度差（即ち、第２冷媒回路２９における第２冷媒Ｒ′の最高低温度差）が小さくなるようにし、このことからも、第２圧縮機２５における第２冷媒Ｒ′の入出口比エンタルピ差に対する予冷用第２蒸発器２８及び加熱用第２凝縮器２６における第２冷媒Ｒ′の入出口比エンタルピ差（モリエル線図上における冷凍サイクルの上下辺長）の比率を高めて、第２冷媒回路２９の運転成績係数を向上させ、そのことでヒートポンプ装置１の装置全体としての成績係数を更に向上させるようにしてある。
【００４７】
一方、新鮮水Ｗｃを沸き上げる場合には、その沸き上げ能力を上げる為に、第２冷媒回路２９において予冷用第２蒸発器２８への第２冷媒Ｒ′の通流を断った状態で採熱用の第２蒸発器３２に第２冷媒Ｒ′を通流させて、その採熱用の第２蒸発器３２を第１冷媒回路２４の採熱用第１蒸発器２３とともに大気Ａに対して吸熱機能させる採熱選択状態にするとともに、図中一点鎖線の矢印で示す如く、冷却を伴わずに予冷用第２蒸発器２８を通過させた戻り湯水Ｗを加熱用の第１及び第２凝縮器２１，２６に対し並列に通流させて加熱する並列通流状態にし、これにより、予冷用第２蒸発器２８で予冷を行う場合に比べ実質の加熱負荷を低減させて成績係数をさらに高いものにする。
【００４８】
なお、場合によっては、図中破線で示す如く、導入路３０に第２給水路３４を接続するとともに、湯水入口１ａからの戻り湯水Ｗを加熱用の第１及び第２凝縮器２１，２６に導いて加熱する「循環水加熱状態」と、第２給水路３４からの供給新鮮水Ｗｃを加熱用の第１及び第２凝縮器２１，２６に導いて加熱する「新鮮水加熱状態」との択一的な切り換えを行う給水用三方弁Ｖｅを設けるようにし、これにより、貯湯タンク２Ａ〜２Ｃに高温湯水Ｗの貯め置きがない状態では、給湯栓７の開栓に連動して給水弁１３の開弁に代え循環水加熱状態から新鮮水加熱状態への切り換えを行うことで、給湯栓７からの高温湯水Ｗの出湯を可能にするようにしてもよい。そして、この新鮮水加熱状態では、第２冷媒回路２９の採熱用第２蒸発器３２を大気Ａに対して吸熱機能させる採熱選択状態にするとともに、戻り湯水Ｗを加熱用の第１及び第２凝縮器２１，２６に対し並列に通流させて加熱する並列通流状態にする。
【００４９】
ヒートポンプ装置１における熱媒路構成についてさらに詳述すると、湯水導入路３０の途中箇所（図中ａ点）と加熱用第１凝縮器２１の湯水出口部（図中ｂ点）とを短絡して湯水入口１ａからの戻り湯水Ｗの一部を予冷用の第２蒸発器２８及び加熱用の第１凝縮器２１に対し迂回させるバイパス路３５を設けるとともに、予冷用第２蒸発器２８及び加熱用第１凝縮器２１に通過させる湯水Ｗとバイパス路３５に通過させる湯水Ｗとの流量比を連続的又は段階的に調整する調整弁手段としての流量比調整三方弁３６を湯水導入路３０におけるバイパス路３５の分岐箇所に装備し、そして、予冷用第２蒸発器２８の出口湯水温度ｔｗを検出する温度センサ３７の検出情報に基づき流量比調整三方弁３６による流量比調整を自動的に行って予冷用第２蒸発器２８の出口湯水温度ｔｗを設定出口湯水温度ｔｗｓに調整する制御器３８を設けることができる。
【００５０】
つまり、上記の熱媒路構成において、バイパス路３５を通過させた湯水Ｗと予冷用第２蒸発器２８及び加熱用第１凝縮器２１に通過させた湯水Ｗ（即ち、予冷用第２蒸発器２８で予冷するとともに、その予冷に続き加熱用第１凝縮器２１で加熱した湯水Ｗ）とを加熱用第１凝縮器２１の湯水出口部で合流させることにより、装置全体としては、湯水入口１ａからの戻り湯水Ｗの全流量を予冷用第２蒸発器２８と加熱用第１凝縮器２１に通過させた場合と同等の予冷量及び加熱量を戻り湯水Ｗの全流量に付与するようにしながらも、戻り湯水Ｗの全流量を予冷用第２蒸発器２８に通過させるのに比べ、高温（例えば６０℃）の戻り湯水Ｗを予冷対象とする予冷用第２蒸発器２８における第２冷媒Ｒ′の温度・圧力（予冷用第２蒸発器２８における平均の冷媒温度・冷媒圧力）を予冷用第２蒸発器２８とバイパス路３５とへの湯水分流により低下側に移行させ、これにより、例えば圧縮機油と冷媒との相溶を防止したり、安定的な冷媒回路運転のために第２冷媒Ｒ′の蒸発器における温度・圧力及び過熱度を圧縮機制御や膨張機構制御などにより所定値以下に維持することを容易にし得るようにしてある。
【００５１】
また、戻り湯水Ｗの一部をバイパス路３５を通じて予冷用蒸発器２８とともに加熱用第１凝縮器２１に対しても迂回させることにより、加熱対象湯水Ｗの全流量を加熱用第１凝縮器２１に通過させるのに比べ、加熱用第１凝縮器２１の湯水流量減少分だけ加熱用第１凝縮器２１における湯水Ｗの入出口温度差を大きくして、それに伴い加熱用第１凝縮器２１における第１冷媒Ｒの入出口温度差及び入出口比エンタルピ差（即ち、モリエル線図上における冷凍サイクルの上辺長）を増大させることで、第１冷媒回路２４の運転成績係数をさらに向上させるようにしてある。
【００５２】
そしてまた、予冷用第２蒸発器２８での冷媒状態を超臨界圧状態ないしそれに近い状態にする場合には、戻り湯水Ｗの全流量を予冷用第２蒸発器２８に通過させて予冷する場合に比べ、制御器３８及び流量比調整三方弁３６による流量比調整により第２冷媒回路２９の良好かつ安定的な運転状態を運転条件に応じて確保するようにしながら、予冷用第２蒸発器２８の湯水流量減少分だけ予冷用第２蒸発器２８における湯水Ｗの入出口温度差を大きくして、それに伴い、予冷用第２蒸発器２８における第２冷媒Ｒ′の入出口温度差及び入出口比エンタルピ差（即ち、モリエル線図上における冷凍サイクルの下辺長）を増大させることで、第２冷媒回路２９の運転成績係数をさらに向上させるようにしてある。
【００５３】
〔別実施形態〕
次に別の実施形態を列記する。
【００５４】
前述の実施形態において加熱用の第１及び第２凝縮器２１，２６で加熱する熱媒は湯水Ｗに限られるものではなく、各種用途の湯水以外の熱媒であってもよい。
【００５５】
また、本発明の実施において熱媒Ｗや冷媒Ｒ，Ｒ′の流れ経路を切り換えるための構成も、前述の実施形態で示した如き三方弁を用いる構成に限らず、例えば、二方弁を組み合わせた構成など、種々の構成変更が可能である。
【００５６】
前述の実施形態では、第１冷媒回路２４及び第２冷媒回路２９の両方を、それらの冷媒Ｒ，Ｒ′が圧縮機２０，２５により超臨界圧力まで圧縮される超臨界型の冷媒回路にしたが、場合によっては、第１冷媒回路２４と第２冷媒回路２９とのいずれか一方（特に第１冷媒回路２４）を、その冷媒が超臨界圧力未満の圧力（例えば超臨界圧力に近い圧力）まで圧縮される形式のものにしてもよい。
【００５７】
前述の実施形態では、予冷用第２蒸発器２８と加熱用第１凝縮器２１とに対して一本のバイパス路３５により予冷対象及び加熱対象としての熱媒Ｗ（湯水）の一部を迂回させる構成を示したが、これに代え、バイパス路及び流量比調整用の調整弁手段を予冷用第２蒸発器２８と加熱用第１凝縮器２１とに対して各別に設ける構成（即ち、図１においてａ点とｃ点とを結ぶバイパス路、及び、ｄ点とｂ点とを結ぶバイパス路を各別に設ける構成）にしてもよい。
【００５８】
また場合によっては、同様のバイパス路及び流量比調整用の調整弁手段を加熱用第２凝縮器２６に対して設ける構成（即ち、ｆ点とｅ点とを結ぶバイパス路を設ける構成）を採用してもよく、さらに、前述の「直列通流状態」での使用において、湯水導入路３０の途中箇所（図中ａ点）と加熱用第２凝縮器２６の湯水出口部（図中ｅ点）とを短絡して湯水入口１ａからの戻り湯水Ｗの一部を予冷用の第２蒸発器２８及び加熱用の第１及び第２凝縮器２１，２６に対し迂回させるバイパス路を設けるとともに、予冷用第２蒸発器２８及び加熱用第１及び第２凝縮器２１，２６に通過させる湯水Ｗとバイパス路に通過させる湯水Ｗとの流量比を連続的又は段階的に調整する三方弁等の調整弁手段を設けるようにしてもよい。また、前述の「並列通流状態」での使用において、湯水導入路３０の途中箇所（図中ａ点）と湯水導出路３１の途中箇所（図中ｇ点：加熱用第１及び第２凝縮器２１，２６からの送出湯水Ｗの合流点よりも下流側の箇所）とを短絡して湯水入口１ａからの戻り湯水Ｗの一部を予冷用の第２蒸発器２８及び加熱用の第１及び第２凝縮器２１，２６に対し迂回させるバイパス路を設けるとともに、予冷用第２蒸発器２８及び加熱用第１及び第２凝縮器２１，２６に通過させる湯水Ｗとバイパス路に通過させる湯水Ｗとの流量比を連続的又は段階的に調整する三方弁等の調整弁手段を設けるようにしてもよい。
【００５９】
さらにまた、前述の実施形態において、加熱用第１凝縮器２１の湯水入口部（図中ｄ点）と加熱用第２凝縮器２６の湯水出口部（図中ｅ点）とを短絡して戻り湯水Ｗの一部を加熱用の第１及び第２凝縮器２１，２６に対し迂回させるバイパス路を設けるとともに、加熱用第１及び第２凝縮器２１，２６に通過させる湯水Ｗとバイパス路に通過させる湯水Ｗとの流量比を連続的又は段階的に調整する三方弁等の調整弁手段を設けるようにしてもよい。
【００６０】
【００６１】
【００６２】
【００６３】
冷媒Ｒ，Ｒ′はＣＯ2に限られるものではなく凝縮器での放熱と蒸発器での吸熱が可能なものであれば、どのような冷媒であってもよい。また、前述の実施形態において第１及び第２冷媒Ｒ，Ｒ′は同種の冷媒あるいは異種の冷媒のいずれであってもよい。
【００６４】
前述の実施形態において第１冷媒回路２４及び第２冷媒回路２９を別個のヒートポンプ装置として、それら２つのヒートポンプ装置の組み合わせにより本発明の超臨界型ヒートポンプ装置を構成してもよい。即ち、本発明における超臨界型ヒートポンプ装置の装置ケースは、第１冷媒回路２４と第２冷媒回路２９とを各別に収容する２つのケース、あるいは、それら冷媒回路２４，２９を一括に収容する１つのケースのいずれにしてもよい。
【００６５】
また、本発明の実施において、蒸発器から送出される低温冷媒により凝縮器から送出される高温冷媒を冷却することで冷媒圧力の上昇を抑える所謂内部熱交換器を付加装備するようにしてもよい。
【産業上の利用可能性】
【００６６】
給湯、暖房、加熱あるいは冷房、冷却などの種々の用途の超臨界型ヒートポンプ装置に適用することができる。
【図面の簡単な説明】
【００６７】
【図１】温水設備の設備構成及び超臨界型ヒートポンプ装置の装置構成を示す回路図
【符号の説明】
【００６８】
Ｒ          冷媒（第１冷媒）
Ｒ′        冷媒（第２冷媒）
２０        圧縮機（第１圧縮機）
２５        圧縮機（第２圧縮機）
２１        凝縮器（加熱用第１凝縮器）
２６        凝縮器（加熱用第２凝縮器）
２２        膨張機構（第１膨張機構）
２７        膨張機構（第２膨張機構）
２３        蒸発器（採熱用第１蒸発器）
２８        蒸発器（予冷用第２蒸発器）
２４        冷媒回路（第１冷媒回路）
２９        冷媒回路（第２冷媒回路）
３５        バイパス路
３６        調整弁手段
【手続補正３】
【補正対象書類名】図面
【補正対象項目名】図２
【補正方法】削除
【補正の内容】